(57)【要約】【課題】病室等に、空気の吸引口を、患者の目に付きにくいように設けることのできる空気吸引ダクト装置を提供する。【解決手段】室内の壁面に沿って立設され、前面が開口されたダクト本体２１と、このダクト本体２１の前面の開口部を閉塞するカバー部材６とを備え、ダクト本体２１における開口部の縁部とカバー部材６の縁部との対向面間に、ダクト本体２１の内部に連通する空気の吸引口１３およびルーバー１４を設け、前記吸引口より室内の空気を吸引するようにする。【選択図】  図３
2014159887.tif 000002
【特許請求の範囲】
【請求項１】
室内の壁面に沿って立設され、前面が開口されたダクト本体と、このダクト本体の前面の開口部を閉塞するカバー部材とを備え、
前記ダクト本体における開口部の縁部と前記カバー部材の縁部との対向面間に、前記ダクト本体の内部に連通する空気の吸引口を設け、前記吸引口より室内の空気を吸引するようにしたことを特徴とする空気吸引ダクト装置。
【請求項２】
ダクト本体に着脱可能に取付けたカバー部材の側縁に、後向折曲片を連設し、この後向折曲片におけるダクト本体の開口部側縁との対向部の一部を、ダクト本体の内部に連通するように開口し、この開口を吸引口としてなる請求項１に記載の空気吸引ダクト装置。
【請求項３】
吸引口に、前後に互いに平行をなして対向する複数の導風板を有するルーバーを設けてなる請求項２に記載の空気吸引ダクト装置。
【請求項４】
カバー部材の左右寸法を、ダクト本体のそれよりも小とし、ダクト本体の側面と当接または近接させて配置された他の什器と前記カバー部材との対向面に、前方に開口するとともに、吸引口と連通する隙間が形成されるようにしてなる請求項１〜３のいずれかに記載の空気吸引ダクト装置。
【請求項５】
吸引口を、室内に設置したベッドの頭部側に近い側方に設けてなる請求項１〜４のいずれかに記載の空気吸引ダクト装置。
【発明の詳細な説明】
【技術分野】
【０００１】
本発明は、例えば医療施設の病室や老人介護施設の療養室等に設けられ、室内の汚れた空気や臭気を吸引して外部に排出するようにした空気吸引ダクト装置に関する。
【背景技術】
【０００２】
このような医療施設の病室や老人介護施設の療養室等においては、汚物や薬剤等により空気が汚染されたり、悪臭が発生したりすることがあり、衛生環境面、居住性の面で問題となることがある。
このような問題に鑑み、空調装置により、室内の空気を強制的に循環および換気し、汚染した空気や臭気を外部に排出するようにしたものが多く見られる(例えば特許文献１〜３参照)。
【先行技術文献】
【特許文献】
【０００３】
【特許文献１】特公平７−６６７５号公報
【特許文献２】特開２０００−１８６３８号公報
【特許文献３】特開２０００−２５７９０８号公報
【発明の概要】
【発明が解決しようとする課題】
【０００４】
上記特許文献１〜３に記載されている空調装置は、いずれも、室内の空気を排気ダクトを介して外部に排出する排出口または吸引口が、室内の天井または壁面の上部に大きく露出して設けられているので、体裁が悪い。特に、病室において、排出口が天井に設けてあると、それがベッドに寝ている患者等の目線に常に入るので、好ましいものではない。
また、排出口や吸引口が天井に設けられていると、それらがベッドから遠く離れ、室内空気の効率的な循環および排出ができない恐れがあるので、排出口や吸引口をベッドと近接する位置に設けることが好ましいが、この際には、それらが患者が目に付きにくいように、より配慮して設ける必要がある。
【０００５】
本発明は、上記問題点に鑑みてなされたもので、病室等に、空気の吸引口を、患者の目に付きにくいように設けるとともに、室内の汚染された空気や臭気を効率よく吸引して排出しうるようにした空気吸引ダクト装置を提供することを目的としている。
【課題を解決するための手段】
【０００６】
本発明によると、上記課題は、次の各項のようにして解決される。
（１）室内の壁面に沿って立設され、前面が開口されたダクト本体と、このダクト本体の前面の開口部を閉塞するカバー部材とを備え、前記ダクト本体における開口部の縁部と前記カバー部材の縁部との対向面間に、前記ダクト本体の内部に連通する空気の吸引口を設け、前記吸引口より室内の空気を吸引するようにする。
【０００７】
このような構成とすると、ダクト本体における開口部の縁部と前記カバー部材の縁部との対向面間に、ダクト本体の内部に連通する空気の吸引口を設けたことにより、吸引ダクト装置の前面に吸引口が露呈して、これが目立つということがないので、体裁がよく、かつ病室等の患者に不快感を与えることがない。
【０００８】
（２）上記(１)項において、ダクト本体に着脱可能に取付けたカバー部材の側縁に、後向折曲片を連設し、この後向折曲片におけるダクト本体の開口部側縁との対向部の一部を、ダクト本体の内部に連通するように開口し、この開口を吸引口とする。
【０００９】
このような構成とすると、吸引口が、ダクト本体に着脱可能に取付けたカバー部材の側縁の後向折曲片に設けられているので、生産性およびメンテナンス性を良好なものとすることができる。
【００１０】
（３）上記(２)項において、吸引口に、前後に互いに平行をなして対向する複数の導風板を有するルーバーを設ける。
【００１１】
このような構成とすると、空気を整流しながら、スムーズにダクト本体内に流入させることができるので、病室等の汚染された空気や臭気を効率よく吸引して排出することができる。
【００１２】
（４）上記(１)〜(３)項のいずれかにおいて、カバー部材の左右寸法を、ダクト本体のそれよりも小とし、ダクト本体の側面と当接または近接させて配置された他の什器と前記カバー部材との対向面に、前方に開口するとともに、吸引口と連通する隙間が形成されるようにする。
【００１３】
このような構成とすると、吸引口の側方が他の什器により覆われるので、吸引口がさらに目立たなくなるとともに、他の什器をダクト本体の側面と当接または近接させて配置しても、什器とカバー部材との対向面に形成される隙間Ｓを介して、室内の空気を支障なくダクト本体内に吸引することができる。
【００１４】
（５）上記(１)〜(４)項のいずれかにおいて、吸引口を、室内に設置したベッドの頭部側に近い側方に設ける。
【００１５】
このような構成とすると、病院等の患者の汚物や薬剤等の臭気を速やかに吸引して排出することができるので、病室等の衛生環境がよくなる。
【発明の効果】
【００１６】
本発明によれば、病室等に、空気の吸引口を、患者の目に付きにくいように設けることのできる空気吸引ダクト装置を提供することができる。
【図面の簡単な説明】
【００１７】
【図１】本発明に係る空気吸引ダクト装置を備える病室の医療用設備ユニットの外観斜視図である。
【図２】医療用設備ユニットの正面図である。
【図３】図２のIII−III線拡大横断平面図である。
【図４】医療用設備ユニットにおける本体下部の分解斜視図である。
【図５】図２のV−V線拡大横断平面である。
【図６】図５に示す状態より、扉を開いて、その裏面に医療用吸引装置を装着したときの、図５と同様の横断平面である。
【図７】図５のVII−VII線拡大縦断面図である。
【図８】図５に示す状態を、左斜め前方より見た斜視図である。
【図９】図６のIX−IX線拡大縦断面図である。
【図１０】ロックピンと拡大孔との変形例を示す、図９と同様の部分の拡大縦断面図である。
【発明を実施するための形態】
【００１８】
以下、本発明の実施形態を、図面に基づいて説明する。
図１は、本発明に係る空気吸引ダクト装置を備える病室の医療用設備ユニットの外観斜視図を示すもので、医療用設備ユニット１は、病室の壁面Ｗに沿うように、床面Ｆと天井Ｃとの間に立設された縦長箱状の本体２と、この本体２の両側面と壁面Ｗとの隅部に、前面が平面視ほぼ４５度に傾斜するように、かつ本体２の前面と連続するようにして立設された左右１対のメディカルコンソール３、３とを備えている。本体２の前面と当接または近接する前方には、左右幅が本体２の左右寸法とほぼ等しいキャスタ付きの床頭キャビネット４が、ベッドＢの頭部側の側方に隣接して設置されている。なお、メディカルコンソール３の詳細については、後述する。
【００１９】
図２〜図４に示すように、本体２は、前面が開口されたケース５と、その前面開口部を閉塞する下部カバー部材６と上部カバー部材７とからなり、下部カバー部材６と上部カバー部材７の左右寸法は、ケース５のそれよりも若干小とされている(図３参照)。ケース５の上下左右の開口縁には、内向折曲片５ａが連設されている。なお、本体２は、メディカルコンソール３に設けた医療器具等の配線ダクト等として使用され、また、下部カバー部材６は、後記するダクト本体２１の前面開口部を閉塞するカバー部材も兼ねている。
【００２０】
下部カバー部材６の上下左右の縁には、下部カバー部材６をケース５に取付けた際に、ケース５の内向折曲片５ａの前面に当接または近接する後向折曲片６ａが連設され、左右両側と下部の後向折曲片６ａの遊端は、若干内向きに折曲されている。上部の後向折曲片６ａにおける両側部を除いた後縁には、上向折曲片６ｂが連設されている。
【００２１】
左側の後向折曲片６ａにおける下端部を除いた部分の前後寸法は短寸とされ、下部カバー部材６をケース５に取付けた際に、短寸とした後向折曲片６ａとケース５の左側の開口縁部との対向面間に、上下方向を向く前後幅の小さな空気の吸引口１３が形成されるようになっている(詳細は後述する)。
【００２２】
下部カバー部材６における左右の後向折曲片６ａの下端部内面には、先端部に下向き鉤状の係止フック８を有する取付金具９が、後向折曲片６ａの内面に沿うように、かつ係止フック８が後向折曲片６ａの後面より後方に突出するようにして、スポット溶接等により固着されている。この左右の係止フック８を、ケース５における左右の内向折曲片５ａの下端部に穿設された係合孔１０に係合させることにより、下部カバー部材６の下端部がケース５の前面に取り付けられている。
【００２３】
下部カバー部材６の上端部は、その上向折曲片６ｂを、ケース５の左右の内向折曲片５ａの中間部裏面に固着された横連結材１１の前面に、左右２個のねじ１２をもって固定することにより、ケース５の前面の上下方向の中間部に取り付けられている。このようにして、ケース５の前面に下部カバー部材６を取付けると、図３に示すように、短寸とした左側の後向折曲片６ａとケース５の左側の開口縁部との対向面間には、空気の吸引口１３が形成される。
また、下部カバー部材６の左右寸法を、ケース５のそれよりも若干小としてあるので、下部カバー部材６の両側面は、ケース５の両側面よりも若干内方に位置し、下部カバー部材６とメディカルコンソール３との対向面には、前方に開口するとともに、吸引口１３と連通する隙間Ｓが形成される。従って、メディカルコンソール３をケース５の側面に当接または近接させて配置しても、上記の隙間Ｓを介して、室内の空気が吸引口１３より、後記する吸気ダクト１５に支障なく吸引されるようになる(図３参照)。
【００２４】
図示は省略するが、上部カバー部材７の上下左右の縁にも、ケース５の内向折曲片５ａの前面に当接または近接する後向折曲片が連設されており、この左右の後向折曲片の上端部と下端部とに固着した、上記と同様の取付金具９の係止フック８(図示略)を、ケース５における左右の内向折曲片５ａに穿設された係合孔(図示略)に係合させることにより、上部カバー部材７は、ケース５の上半部の前面に、着脱可能として取り付けられている。
【００２５】
ケース５の左側部内には、空気の吸引口であるルーバー１４と吸気ダクト１５とが設けられている。ルーバー１４は、前後に互いに平行をなして対向する上下方向の導風板１６、１７と、それらの上下両端に当接する閉塞片１８、１８とを備え、前後の導風板１６、１７の対向面間と、上下の閉塞片１８、１８の対向面間とにより形成される隙間は、左右両方向に開口する上下方向に長いスリット状の導風路１９となっている。
両導風板１６、１７の離間寸法は、上述した吸引口１３の前後幅よりも小さく、また、ルーバー１４全体の上下寸法は、吸引口１３の上下寸法とほぼ等しくしてある。
【００２６】
左右寸法を若干小とした前部の導風板１６の右側縁には、前方に突出する平面視Ｌ字状断面の取付片２０が連設されている。なお、導風板１７、上下の閉塞片１８および取付片２０は、１枚の金属板を折曲することにより、一体的に形成されている。
【００２７】
吸気ダクト１５は、右半部の前後寸法が左半部よりも大とされた、前面が開口するケース状のダクト本体２１と、その前面の開口部を閉塞する、上述した下部カバー部材６とからなっている。なお、上記ルーバー１４とダクト本体２１と下部カバー部材６等により、空気吸引ダクト装置を構成している。
ダクト本体２１における左側縁を除いた上下および右側の開口縁には、下部カバー部材６と平行な内向折曲片２２が、前面が同一面に整合するようにして連設されている。
【００２８】
ダクト本体２１を形成している各内向折曲片２２、上面板２３、底面板２４および前面開口部を除く周面板２５は、１枚の平板状金属板を折曲して一体的に形成されている。上面板２３と底面板２４の左側の前端部、上下の内向折曲片２２、２２の左側端部、および周面板２５における左側の側面板２５ａの前端部は、前面開口部と連続するように所要寸法だけ切り欠かれ、ルーバー１４の接続口２６とされている。上面板２３の右側部のやや後方寄りには、ダクト本体２１の内部に連通する排気管２７が接続されている。この排気管２７は、本体２内に収容されて、その上端部が天井裏等に設けられた排気ダクトおよび吸引装置(いずれも図示略)に接続されている。
【００２９】
ルーバー１４の取付片２０の前面と、ダクト本体２１の各内向折曲片２２の前面とには、接着力の大きな工業用両面粘着テープ２８が貼着され、この両面粘着テープ２８により、ルーバー１４とダクト本体２１とが、図３に示すようにして、下部カバー部材６の後面に取り付けられている。すなわち、ルーバー１４の導風板１７の側端部前面を、短寸とした左側の後向折曲片６ａの後端に当接させるとともに、上下の閉塞板１８、１８を、上部の後向折曲片６ａと左側の後向折曲片６ａの下方の段差部２９との間に挟入し、取付片２０の前面の両面粘着テープ２８を、下部カバー部材６の後面に接着する。これにより、ルーバー１４は、前後の導風板１６、１７の外側端が、左側の後向折曲片６ａの外側面と整合するようにして、下部カバー部材６の左側部の後面に取付けられている。
【００３０】
ダクト本体２１は、その左前部に形成した接続口２６とルーバー１４の導風路１９とが連通するようにして、各内向折曲片２２の前面の両面粘着テープ２８を、下部カバー部材６の後面に接着することにより、下部カバー部材６の右側部後面に取付けられている。このようにして、ダクト本体２１の前面開口部を下部カバー部材６により閉塞することにより、吸気ダクト１５が形成される。
【００３１】
ルーバー１４とダクト本体２１とを下部カバー部材６の後面に取付けたのち、下部カバー部材６を、上述した要領でケース５の前面開口部に取付けると、ルーバー１４は、ベッドＢの頭部側に近い側方において、下部カバー部材６における左側部の後向折曲片６ａと、ケース５の左側の開口縁部との対向面間に形成された吸引口１３内に位置するようになる。また、ダクト本体２１およびそれに接続された排気管２７は、本体５内に収容される。
【００３２】
天井裏等に設けられた吸引装置を作動させると、病室内の空気は、ルーバー１４の導風路１９内に左側方より流入して、吸気ダクト１５内に吸引され、それに接続した排気管２７を介して外部に排出される。
【００３３】
以上説明したように、上記実施形態の空気吸引ダクト装置においては、ダクト本体２１の前面開口部の側縁部と、ダクト本体２１の前面開口部を閉塞する下部カバー部材６の側縁部との対向面間に前後幅の小さな吸引口１３を形成し、この吸引口１３に設けた、左右方向に開口するルーバー１４より、病室内の空気を吸気ダクト１５内に吸引して外部に排出するようにしているので、吸引口１３およびそれに設けたルーバー１４が、吸気ダクト１５の一部を構成する下部カバー部材６の前面に大きく露呈して目立つのが防止され、空気吸引ダクト装置の体裁がよくなる。
また、吸引口１３およびルーバー１４は前後幅が小さく、患者の目線に入りにくいので、不快感を与える恐れもない。
【００３４】
特に、下部カバー部材６の左右寸法を、ケース５のそれよりも若干小として、メディカルコンソール３を、ケース５の側面に当接または近接させて配置すると、吸引口１３およびルーバー１４がさらに目立たなくなり、かつ下部カバー部材６とメディカルコンソール３との対向面に、前方に開口するとともに、ルーバー１４に連通する隙間Ｓが形成されるので、その隙間Ｓを介して室内の空気を支障なく吸気ダクト１５内に吸引することができる。
【００３５】
吸引口１３およびルーバー１４を、ベッドＢの頭部側に近い側方に設けてあるので、患者の汚物や薬剤等の臭気を速やかに吸引して排出することができる。しかも、吸引口１３に、前後互いに平行をなして対向する導風板１６、１７を有するルーバー１４を設けると、空気を整流しながら、スムーズに吸気ダクト１５内に流入させることができるので、病室内の汚染された空気や臭気を効率よく吸引して排出することができる。
【００３６】
吸引口１３およびルーバー１４は、下部カバー部材６の側縁から側方に開口しているので、本体２とほぼ同一の左右寸法の下部カバー部材６の前面に、床頭キャビネット４を当接または近接して配置しても、吸引口１３が床頭キャビネット４により塞がれることがない。
【００３７】
次に、前述したメディカルコンソール３について説明する。
なお、右方のメディカルコンソール３は、左方のメディカルコンソール３と左右対称の構造であるので、左方のメディカルコンソール３のみについて詳細に説明し、右方のメディカルコンソール３については、詳細な説明を省略する。
【００３８】
図５〜図９に示すように、メメディカルコンソール３は、本体２の側面と壁面Ｗとの角隅部に配設された平面視ほぼ直角三角形をなす縦長の筐体３０を備えている。
この筐体３０における本体２の側面と壁面Ｗとに対して平面視においてほぼ４５度の傾斜角度をなす傾斜面３０ａには、縦長方形の開口３１が設けられており、この開口３１の上下部は、閉塞板３２、３３をもって閉塞され、同じく中間部は、筐体３０における開口３１の壁面Ｗ寄りの側部に上下方向を向く枢軸３４をもって基端部が枢着された扉３５により、開閉自在に閉塞されている。
【００３９】
扉３５の遊端部の裏面には、マグネットキャッチ３６が設けられており、扉３５を閉じたとき、このマグネットキャッチ３６が筐体３０における開口３１の縁部に磁力により吸着することによって、扉３５を閉止状態で保持しうるようになっている。
【００４０】
扉３５の裏面には、開扉状態で医療器具を取り付け可能な器具取付部３７が設けられている。
この器具取付部３７は、扉３５の裏面に固着した基片３８ａと、この基片３８ａの両側より後方に向かって延出する左右１対の平面視内向き鉤形の把持片３８ｂ、３８ｂと、基片３８ａの下端より後方に向かって延出する受け片３８ｃとからなる取付金具３８としてあり、医療器具の一種である医療用吸引装置３９における平面視Ｔ字状の被取付部３９ａを、下端が受け片３８ｃに当接するまで、左右の把持片３８ｂ、３８ｂ間に上方より差し込むだけで、被取付部３９ａの両側部が左右の把持片３８ｂ、３８ｂにより把持され、医療用吸引装置３９を簡単に扉３５に装着することができ、また、被取付部３９ａを、取付金具３８より上方に抜き出すことによって、医療用吸引装置３９を扉３５から簡単に外すことができるようになっている。
【００４１】
なお、取付金具３８における受け片３８ｃを省略して、取付金具３８における左右の把持片３８ｂ、３８ｂの上端に、医療用吸引装置３９における被取付部３９ａの上端に設けた水平片(図示略)の下面が当接して、医療用吸引装置３９が取付金具３８に支持されるようにしたり、または器具取付部３７を、取付金具３８以外の取付手段としたりすることもできる。
【００４２】
扉３５の遊端部の表面には、扉３５を図６に示すような開扉状態である全開位置まで開いたときに、病室内の壁面Ｗに圧接するようにした弾性ストッパ４０が設けられている。この弾性ストッパ４０は、扉３５を開閉する際の取手を兼用している。
【００４３】
筐体３０の開口３１における閉扉時の扉３５の後方には、中央部が後方に凹入するようにした、筐体３０の一部をなすメディカルコンソールパネル４１が、その両側部を開口３１の縁部に固着して取付けられている。
【００４４】
このメディカルコンソールパネル４１の前面には、吸気管４２の接続口４３を始めとして、酸素や笑気ガス等の医療用ガス供給管４４、４４の接続口４５その他の関連部材が取付けられている。
また、ナースコールスイッチの取付口、スピーカ、照明装置の取付部、電源コンセント等の関連部材は、図示は省略してあるが、このメディカルコンソールパネル４１と、閉塞板３２、３３とに分散して配置されている。
吸気管４２、その他の医療用ガス供給管４４、電源線、信号線等は、メディカルコンソールパネル４１の後方の筐体３０内に配設されている。
【００４５】
筐体３０と扉３５との間には、扉３５を全開位置で筐体３０に固定する固定手段４６が設けられている。
この固定手段４６は、ガイド部材４７と、ステー４８とを備えている。
【００４６】
ガイド部材４７は、メディカルコンソールパネル４１の下部前面にねじ止めされた左右方向を向く取付片４７ａと、取付片４７ａの上端に連設された水平片４７ｂとを備えている。
水平片４７ｂには、長手方向を向く長孔４９と、その枢軸３４寄りの端部に連続する拡大孔５０と、長孔４９の戸当たり側の端部に連続する、上記拡大孔５０よりさらに大径の着脱孔５１とが設けられている。
【００４７】
ステー４８の基端部は、扉３５の裏面における枢軸３４より若干離れた部分に設けたブラケット５２に、上下方向を向く軸５３をもって、遊端部が若干上下方向に傾動可能として枢着されている。
ステー４８の遊端部が若干上下方向に傾動しうるようにするため、図７に示すように、軸５３を、ボルト５３ａとし、このボルト５３ａの頭部５３ｂと、ボルト５３ａの軸部５３ｃに螺合するナット５３ｄとをもって、ブラケット５２と座金５３ｅとを締着し、ナット５３ｄより上方に突出する軸部５３ｃの上端に袋ナット５３ｆを螺着し、ナット５３ｄと袋ナット５３ｆとの間隔をステー４８の板厚より大として、その間の軸部５３ｃにステー４８の基端部を枢支し、軸部５３ｃが挿通するステー４８の軸孔(図示略)の内径を、軸部５３ｃの外径より大としてある。
【００４８】
図６〜図９に示すように、ステー４８の遊端部の下面には、倒立截頭円錐形のロックピン５４と、扉３５の開閉に伴って長孔４９内を摺動するようにしたガイドピン５５と、ガイドピン５５が長孔４９から上方に離脱するのを阻止する、ガイドピン５５より大径の抜け止めフランジ５６とを上下方向に連続させて一体としたものが、固定ねじ５４ａをもって固着されている。
【００４９】
図９に示すように、ガイド部材４７の水平片４７ｂにおける拡大孔５０の内径は、倒立截頭円錐形のロックピン５４の下端の最小径端部の外径と、同じく上端の最大径端部の外径との間の寸法としてある。
したがって、扉３５を全開位置まで開くと、ロックピン５４は、自重により拡大孔５０内に落ち込み、扉３５が閉じる方向に移動するのを阻止するとともに、ロックピン５４をさらに強く押し下げると、倒立截頭円錐形のロックピン５４は拡大孔５０内に楔状に圧嵌し、扉３５を全開位置において、がたつくことなく、拘束することができる。
扉３５を閉じる際には、抜け止めフランジ５６を押し上げて、ロックピン５４を拡大孔５０から上方に抜け出させ、ガイドピン５５を長孔４９に係合させればよい。
【００５０】
なお、図１０に示す変形例のように、ガイド部材４７の水平片４７ｂにおける拡大孔５０’を、上方に向かって拡開するテーパ孔とし、ロックピン５４’を、外径が拡大孔５０’の下端の最小径端部の内径より大、かつ同じく上端の最大径端部の内径より小とした直円筒状としてもよい。
【００５１】
上記ガイド部材４７とステー４８とガイドピン５５とにより、扉３５の開閉可能範囲を規制する規制手段５７が形成され、ガイド部材４７とステー４８とロックピン５４とにより、扉３５が開扉状態のとき、扉３５の閉じる方向への移動を阻止する移動阻止手段５８が形成され、この規制手段５７と移動阻止手段５８とによって、固定手段４６が形成されている。
【００５２】
以上のような構成としたメディカルコンソール３においては、医療器具の不使用時には、扉３５を閉めておくことにより、器具取付部３７や、接続口４３、４５等が外部に露呈することがなく、体裁がよく、しかも患者に不安感を与えることもない。しかも、接続口４３、４５等に塵芥や水滴等が付着するおそれがなく、衛生的である。
【００５３】
例えば、医療器具の一種である医療用吸引装置３９を使用したいときは、図８に示すように、扉３５を開いて、その裏側の器具取付部３７における取付金具３８の左右の把持片３８ｂ、３８ｂ間に、医療用吸引装置３９の被取付部３９ａを上方より差し込み、その下端を受け片３８ｃに受止させることにより、医療用吸引装置３９を扉３５の裏面に簡単に装着することができ、その後、医療用吸引装置３９の接続チューブ３９ｂを、メディカルコンソールパネル４１における接続口４３に接続して、医療用吸引装置３９を迅速に使用することができる。
【００５４】
しかも、扉３５を全開位置まで開いた状態で、ステー４８の遊端部を押し下げて、倒立截頭円錐形のロックピン５４を、ガイド部材４７における拡大孔５０に圧嵌させると、ステー４８の遊端部がその位置に固定され、それに伴って、扉３５の全開位置から閉じる方向への回動が阻止され、扉３５に装着された医療器具は、筐体３０に安定よく支持され、振動等が防止される。
なお、軸５３における袋ナット５３ｆとステー４８との間に、ステー４８の遊端部を常時下向きに付勢する圧縮コイルばね等の付勢手段(図示略)を設けておくと、扉３５を全開位置まで開いたとき、常にロックピン５４が即座に拡大孔５０に圧嵌するようにすることができる。
【００５５】
また、ロックピン５４を、ガイド部材４７における拡大孔５０に圧嵌したとき、弾性ストッパ４０が壁面Ｗに圧接され、扉３５の振動防止効果がさらに高められる。
【００５６】
医療器具の使用が終了したときは、医療器具を上方に持ち上げて、その被取付部３９ａを取付金具３８から上方に外し、その後、ステー４８の遊端部を持ち上げて、ロックピン５４を拡大孔５０から上方に抜き出して、ガイドピン５５を長孔４９に沿って摺動させつつ、扉３５を全閉位置まで簡単に閉じることができる。
【００５７】
固定手段４６を、ガイド部材４７とステー４８とガイドピン５５とよりなる規制手段５７と、ガイド部材４７とステー４８とロックピン５４とよりなる移動阻止手段５８とをもって構成してあるので、構造を簡素化することができるとともに、扉３５の開閉操作とロック操作とを円滑に行うことができる。
【００５８】
本発明は、上記実施形態のみに限定されるものではなく、特許請求の範囲を逸脱することなく、例えば、次のような変形した態様での実施が可能である。
上記実施形態では、ダクト本体２１を、ケース５内に、これとは別体のものとして収容しているが、このようなダクト本体２１を省略して、本体２のケース５自体をダクト本体とし、ケース５と下部カバー部材６と上部カバー部材７とにより、吸気ダクトを形成するようにすることもできる。この際、上部カバー部材６と上部カバー部材７とは一体構造とするのがよい。
【００５９】
また、上記実施形態では、吸引口１３にルーバー１４を設けているが、このようなルーバー１４を省略し、吸引口１３のみとすることもある。
【００６０】
さらに、上記実施形態では、吸引口１３およびルーバー１４を、ケース５と下部カバー部材６との間の左側部のみに設けているが、ベッドＢを医療用設備ユニット１の右側方にも設置した際、または室内空気の吸引効率を高めたいときには、ケース５と下部カバー部材６との間の右側部にも設けてもよい。この際には、ケース５内の右側部に、上記と同様のダクト本体２１を左右対称的に設ければよい。
【符号の説明】
【００６１】
Ｂ  ベッド
Ｃ  天井
Ｆ  床面
Ｓ  隙間
Ｗ  壁面
１  医療用設備ユニット
２  本体
３  メディカルコンソール
４  床頭キャビネット
５  ケース
５ａ内向折曲片
６  下部カバー部材
６ａ後向折曲片
６ｂ上向折曲片
７  上部カバー部材
８  係止フック
９  取付金具
１０  係合孔
１１  横連結材
１２  ねじ
１３  吸引口
１４  ルーバー
１５  吸気ダクト
１６、１７  導風板
１８  閉塞片
１９  導風路
２０  取付片
２１  ダクト本体
２２  内向折曲片
２３  上面板
２４  底面板
２５  周面板
２５ａ側面板
２６  接続口
２７  排気管
２８  両面粘着テープ
２９  段差部
３０  筐体
３０ａ傾斜面
３１  開口
３２、３３  閉塞板
３４  枢軸
３５  扉
３６  マグネットキャッチ
３７  器具取付部
３８  取付金具
３８ａ基片
３８ｂ把持片
３８ｃ受け片
３９  医療用吸引装置
３９ａ被取付部
３９ｂ接続チューブ
４０  弾性ストッパ
４１  メディカルコンソールパネル
４２  吸気管
４３  接続口
４４  医療用ガス供給管
４５  接続口
４６  固定手段
４７  ガイド部材
４７ａ取付片
４７ｂ水平片
４８  ステー
４９  長孔
５０、５０’  拡大孔
５１  着脱孔
５２  ブラケット
５３  軸
５３ａボルト
５３ｂ頭部
５３ｃ軸部
５３ｄナット
５３ｅ座金
５３ｆ袋ナット
５４、５４’  ロックピン
５４ａ固定ねじ
５５  ガイドピン
５６  抜け止めフランジ
５７  規制手段
５８  移動阻止手段
【図１】
2014159887.tif 000003
【図２】
2014159887.tif 000004
【図３】
2014159887.tif 000005
【図４】
2014159887.tif 000006
【図５】
2014159887.tif 000007
【図６】
2014159887.tif 000008
【図７】
2014159887.tif 000009
【図８】
2014159887.tif 000010
【図９】
2014159887.tif 000011
【図１０】
2014159887.tif 000012